(57)【要約】【課題】表面パネルを上下に連接して接着剤で竪取付材に固定するパネル体であって、仮固定の保持力を高めることができ且つ施工性に優れたパネル体を提供する。【解決手段】本発明のパネル体Ａにおいて、アングル材５は竪取付材１の溝１１内に配置してネジ止めする取付片１５と、取付片１５から溝１１外に突出する水平片１７とを有し、表面パネル３の上下方向寸法と略同一寸法の間隔をおいて上下方向に複数配置してあり、表面パネル３は下に位置するアングル材５の水平片１７に載置して竪取付材１の基板９に接着剤２１により接着してあり且つ下に位置する表面パネル３から上に向けて順次取り付けてあり、楔材７は半硬質材の樹脂材料から成り、上に位置するアングル材５の水平片１７の下面と表面パネル３の上面との間に挿入してあると共に水平片１７の先端に合わせて切り縮めてある。【選択図】      図１
2004244929.tif 000002
【特許請求の範囲】
【請求項１】
竪取付材と、アングル材と、表面パネルと、楔材とを備え、竪取付材は基板と、基板に設けた上下方向の溝とを有し、アングル材は竪取付材の溝内に配置してネジ止めする取付片と、取付片から溝外に突出する水平片とを有し、表面パネルの上下方向寸法と略同一寸法の間隔をおいて上下方向に複数配置してあり、表面パネルは下に位置するアングル材の水平片に載置して竪取付材の基板に接着剤により接着してあり且つ下に位置する表面パネルから上に向けて順次取り付けてあり、楔材は半硬質材の樹脂材料から成り、上に位置するアングル材の水平片の下面と表面パネルの上面との間に挿入してあると共に水平片の先端に合わせて切り縮めてあることを特徴とするパネル体。
【請求項２】
左右の竪取付材と、アングル材と、表面パネルと、楔材とを備え、左右の竪取付材は基板を有し、アングル材は左右の竪取付材間に配置してあり、左右の竪取付材にネジ止めする取付片と、取付片から竪取付材の基板よりも表面パネルの表面側に向けて突出する水平片とを有するとともに、表面パネルの上下方向寸法と略同一寸法の間隔をおいて上下方向に複数配置してあり、表面パネルは下に位置するアングル材の水平片に載置して竪取付材の基板に接着剤により接着してあり且つ下に位置する表面パネルから上に向けて順次取り付けてあり、楔材は半硬質材の樹脂材料から成り、上に位置するアングル材の水平片の下面と表面パネルの上面との間に挿入してあると共に水平片の先端に合わせて切り縮めてあることを特徴とするパネル体。
【発明の詳細な説明】
【０００１】
【発明の属する技術分野】
本発明は、竪取付材に表面パネルを下から上方に順次取り付けてなるパネル体に関する。
【０００２】
【従来の技術】
一般に、表面パネルを竪取付材に接着固定する場合に、接着剤が固まるまで、表面パネルを竪取付材に仮固定する方法が公知である。
例えば、特許文献１には、表面パネルを竪取付材の左右に配置するとともに、竪取付材と表面パネルとの間に接着剤を介在し、表面パネルの上端を針金で竪取付材に係止し、竪取付材と表面パネルの上端との間に楔材を挿入することにより針金に張力を付与して、接着剤が固まるまで表面パネルを仮固定することが開示されている。また、この特許文献１では、楔材には折り溝が形成されており、この折り溝に沿って折り取ることができるようになっている。
特許文献２には、上下方向に表面パネルを設け、表面パネルを竪取付材に釘で固定するとともに目地にカバー材を配置し、カバー材に楔材を挿入してカバー材の上下端に設けてあるパッキンと表面パネルとの接触を高めることが開示されている。
【０００３】
【特許文献１】
特開平４−１９８５５４号公報
【特許文献２】
特開平７−２７９３９２号公報
【０００４】
【発明が解決しようとする課題】
特許文献１に開示の技術では、表面パネルの仮固定は、表面パネルをアングル材に係止した針金で吊り下げるものであるから、一人が表面パネルを両手で保持しつつ、他の一人が針金を表面パネルに係止し、楔を打ち込む必要があり、施工に複数の人手を必要とするので、施工性に劣るという問題がある。
楔材は針金を張設するために竪取付材と表面パネルとの間に挿入して楔材が表面パネルの上端からはみ出した部分を折り溝から折り取るが、折り溝が表面パネルの上端に一致しない場合があり、折り取り後の楔が上に出っ張ってしまうという不都合がある。このような楔の出っ張りが生じると、上下に表面パネルを連接する場合に上の表面パネルの設置の邪魔になるという問題がある。
また、特許文献２に開示の技術では、上下に表面パネルを設けているが、表面パネルを接着剤により竪取付材に固定するものでない。また、楔材はカバー部材との水密を高めるためにカバー部材間に挿入するものであり、表面パネルを上下のアングル材間に仮固定するものではない。
そこで、本発明は、表面パネルを上下に連接して接着剤で竪取付材に固定するものであって、仮固定の保持力を高めることができ且つ施工性に優れたパネル体の提供を目的とする。
【０００５】
【課題を解決するための手段】
請求項１に記載の発明は、竪取付材と、アングル材と、表面パネルと、楔材とを備え、竪取付材は基板と、基板に設けた上下方向の溝とを有し、アングル材は竪取付材の溝内に配置してネジ止めする取付片と、取付片から溝外に突出する水平片とを有し、表面パネルの上下方向寸法と略同一寸法の間隔をおいて上下方向に複数配置してあり、表面パネルは下に位置するアングル材の水平片に載置して竪取付材の基板に接着剤により接着してあり且つ下に位置する表面パネルから上に向けて順次取り付けてあり、楔材は半硬質材の樹脂材料から成り、上に位置するアングル材の水平片の下面と表面パネルの上面との間に挿入してあると共に水平片の先端に合わせて切り縮めてあることを特徴とする。
【０００６】
この請求項１に記載の発明では、パネル体の施工は、竪取付材の上下方向の溝に表面パネルの上下方向寸法と略同一寸法の間隔をあけてアングル材をネジ止めし、竪取付材と表面パネルとの間に接着剤を介在して表面パネルを竪取付材に取り付けるが、表面パネルの下端は溝外に突出する水平片に載置する。次に、表面パネルの上端とその上にあるアングル材との間に楔材を圧入して、表面パネルを仮固定する。
楔材の圧入後、楔材はアングル材の水平片の先端に一致する位置に合わせて切り詰める。楔材は半硬質材でできているので、カッター等により任意の位置から容易に切断できる。
楔材の切断後に、上のアングル材の上に表面パネルを配置し、上のアングル材の水平片に上の表面パネルを載置する。以下、上述のことを繰り返して、パネル体を組み立てる。そして、所定時間経過後、接着剤が固まって表面パネルが竪取付材に本固定される。
本発明によれば、楔材は半硬質材でできており、任意の位置で切断が容易にできるから、楔材の挿入量にかかわらず楔材を水平片の先端に合わせて切断することができる。したがって、楔材が水平片よりも上方に出っ張らず、上の表面パネルの取り付けの邪魔にならない。
また、楔材は所定の硬度を有するから仮止めのためにアングル材と表面パネルの上端との間に差し入れて表面パネルを高い保持力で保持することができる。
アングル材の水平片と表面パネルの上端との間の隙間に楔材を挿入しているので、表面パネル毎に隙間の寸法が異なる場合にも楔の挿入量を変えることにより調整できるから、表面パネルの寸法制度が要求されず、表面パネルの製造が容易にできる。
表面パネルはその下端をアングル材の水平片に載置し、アングル材が表面パネルの重量を受けた状態で仮固定の作業できるから、一人の作業者のみでパネル体の施工ができ、施行性に優れる。
【０００７】
請求項２に記載の発明は、左右の竪取付材と、アングル材と、表面パネルと、楔材とを備え、左右の竪取付材は基板を有し、アングル材は左右の竪取付材間に配置してあり、左右の竪取付材にネジ止めする取付片と、取付片から竪取付材の基板よりも表面パネルの表面側に向けて突出する水平片とを有するとともに、表面パネルの上下方向寸法と略同一寸法の間隔をおいて上下方向に複数配置してあり、表面パネルは下に位置するアングル材の水平片に載置して竪取付材の基板に接着剤により接着してあり且つ下に位置する表面パネルから上に向けて順次取り付けてあり、楔材は半硬質材の樹脂材料から成り、上に位置するアングル材の水平片の下面と表面パネルの上面との間に挿入してあると共に水平片の先端に合わせて切り縮めてあることを特徴とする。
【０００８】
この請求項２に記載の発明は、アングル材は左右の竪取付材間に取り付けられおり、このため竪取付材の基材に上下方向の溝を設けていない点が、請求項１に記載の発明と異なっている。その他の点では請求項１に記載の発明と同様な構成であり且つ請求項１に記載の作用効果と同様な作用効果を奏するものである。
【０００９】
【発明の実施の形態】
以下に、添付図面を参照して本発明の実施の形態を説明する。図１は図２に示す第１実施の形態にかかるパネル体の施工手順を示す図であり、（ａ）〜（ｃ）はそれぞれ縦断面図であり、図２は図３に示す門柱の横断面図であり、図３は本発明の実施の形態にかかるパネル体を用いた門柱の正面図である。
本実施の形態にかかるパネル体を用いた門柱は、道路側のパネル体Ｂと、家側のパネル体Ｃと、側面側のパネル体Ａ、Ａとを組み合わせて構成されており、各側のパネル体Ａ、Ｂ、Ｃは異なる構成を取っているので、それぞれ異なる実施の形態として以下に説明する。
第１実施の形態にかかるパネル体（側面側のパネル体）Ａは、竪取付材１と、表面パネル３と、アングル材５と、楔材７とから構成されている。
竪取付材１は、断面略四角形状の金属材であり、上下に長く立設されている。この竪取付材１の基板９はフラット（平坦面）であり、基板９には上下方向の溝１１が形成されている。
この溝１１には上下方向に所定間隔をあけてアングル材５が複数取り付けられている。アングル材５は断面略Ｌ字形状であり、溝１１にネジ固定する取付片１５と、取付片１５に連続してＬ字を構成する水平片１７とを有している。取付片１５はネジ１９により溝底に固定してあり、水平片１７は溝１１の外に水平に突出している。アングル材５は、表面パネル３の上下方向の寸法と略同一寸法の間隔で溝１１に固定されている。
表面パネル３は、本実施の形態では石調パネルであり、その裏面では竪取付材１との間に接着剤２１が介在されて、この接着剤２１により竪取付材１に接着固定されている。
楔材７は、半硬質材であり、例えば、半硬質塩化ビニル樹脂でできている。半硬質材とすることにより、表面パネルに対する保持力を有しながらカッター等により容易に切断できる。
この楔材７は、アングル材５の水平片１７の下面と、表面パネル３の上端３ａとの間に挿入されて、表面パネル３を載置した下にあるアングル材５の水平片１７との間で表面パネル３を保持して、表面パネル３を仮固定するものである。
【００１０】
次に、本発明にかかるパネル体Ａの施工及び作用について説明する。竪取付材１の溝１１内にアングル材５の取付片１５をネジ１９で固定する。アングル材５は、溝１１の上下方向において、表面パネル３の上下寸法と略同じ位置に取り付ける。
一方、表面パネル３の裏面又は竪取付材１の基板９には接着剤２１を塗布しておく。
次に、下にあるアングル材５の水平片１７の上に表面パネル３の下端３ｂを載置し、表面パネル３の上端３ａと水平片１７との間の隙間Ｓに楔材７を圧入する（図１の（ａ））。これにより、表面パネル３は下にあるアングル材５の水平片１７と、上にあるアングル材５と表面パネルの上端３ａの間に挿入された楔材７とにより挟持される（仮固定）。楔材７は表面パネル３の厚み寸法と略同じがそれよりも長いものを用いており、楔材７をハンマー等の治具で打ち付ける場合に表面パネル３の損傷を防止でき且つ楔材７の圧入が容易にできる。
その後、水平片１７の先端位置で、楔材７を切断する。楔材７は半硬化樹脂材であるから、カッター等により容易に切断できる。楔材７を水平片１７の先端に揃えて切断するから、水平片１７よりも上方に楔材７が出っ張ることがなく、水平片１７の上に次の表面パネル３の下端を載置するときに楔材７が邪魔にならない。
また、水平片１７と楔材７の切断した端面が面一に揃っているので、上下の表面パネル間にある目地の底が面一になり、外観がよい。
そして、この水平片１７の上に次の表面パネル３を載置し、上述した工程を繰り返して、表面パネル３を竪取付材１１に下から上方に順次取り付ける。
このようにして、竪取付材１に表面パネル３を楔材７で仮固定した後、所定時間（又は数日）おいて、表面パネルと竪取付材７との間の接着剤２１が固まると、竪取付材７に表面パネル３が本固定される。
この実施の形態によれば、アングル材５の水平片１７と表面パネル３の上端３ａとの間の隙間Ｓに楔材７を挿入しているので、上下に配置する各表面パネル３毎に上下方向の寸法に誤差がある場合にも、楔材７の打ち込み量を変えることにより水平片１７との隙間を埋めることができるから、施工が容易である。
また、表面パネルの寸法制度が要求されないから、表面パネル３の製造が容易にできる。
表面パネル３を下から竪取付材１に順次取り付けて、上下に表面パネル３を連設する施工において、各表面パネル３の下端３ｂをアングル材５の水平片１７に載置して行うので、作業者が表面パネル３の重量を受けずに作業できるから、一人でパネル体Ａの施工ができ、施行性に優れる。
【００１１】
以下に、本発明の他の実施の形態を説明するが、以下に説明する実施の形態にかかるパネル体Ｂ、Ｃにおいて、上述した実施の形態Ａと同一の作用効果を奏する部分には同一の符号を付することによりその部分の詳細な説明を省略し、以下の説明では、上述した実施の形態Ａと異なる点を主に説明する。
第２実施の形態にかかるパネル体Ｂでは、竪取付材１は左右に設けており、アングル材５の左右端部をそれぞれ左右の竪取付材１にネジ１９で固定している。アングル材５は左右の竪取付材１に形成された段部２５に固定されている。この段部２５は基板９のフラット面から凹んでいる。段部２５に固定されたアングル材５の水平片１７はフラットな基板９よりも表面パネル３の表面側（外側）に突設されている。その他の構成は上述した第１実施の形態と略同じであり、また施工も上述した実施の形態と同じ手順で組み立てる。この第２実施の形態によれば、上述した第１実施の形態と同様な作用効果を得ることができる。
【００１２】
第３実施の形態にかかるパネル体Ｃでは、左右の竪取付材１、１間に表面パネルを取り付けている。即ち、左右の竪取付材１、１にそれぞれ上下方向の溝１１が設けられており、各溝１１にアングル材５を取り付けて、表面パネル３の左右を竪取付材１、１に固定している点が上述した第１実施の形態と異なる、その他は第１実施の形態と略同じ構成であり、また施工も上述した第１実施の形態と同じ手順で組み立てる。この第３実施の形態によれば、上述した第１実施の形態と同様な作用効果を得ることができる。
【００１３】
本発明は、上述した実施の形態に限らず、本発明の要旨を逸脱しない範囲で種々変形可能である。
例えば、接着剤２１は表面パネル３の裏面に塗布してもよいし、竪取付材１の基板９に塗布してもよいし、両方に塗布してもよい。
楔材７は、塩化ビニル樹脂に限らず、シリコン樹脂等他の材質であってもよい。
溝１１は竪取付材１の上下に連続して設けてあってもよいし、不連続であってもよい。
上述した実施の形態では、第１〜第３実施の形態にかかるパネル体Ａ、Ｂ、Ｃを組み合わせて四面を構成して門柱を施工したが、これに限らず、第１実施の形態にかかるパネル体Ａや、第２実施の形態にかかるパネル体Ｂや、第３実施の形態にかかるパネル体Ｃのみでそれぞれ四面を構成して門柱を施工するものであってもよい。
また、本発明にかかるパネル体は、門柱に限らず、外壁や、フェンス等であってもよい。
【００１４】
【発明の効果】
請求項１に記載の発明によれば、楔材は半硬質材でできており、任意の位置で切断が容易にできる。また、楔材の挿入量にかかわらず楔材を水平片の先端に合わせて切断しているので、楔材が水平片よりも上方に出っ張らず、上の表面パネルの取り付けの邪魔にならない。
楔材は所定の硬度を有するから仮止めのためにアングル材と表面パネルの上端との間に差し入れて表面パネルを高い保持力で保持することができる。
アングル材の水平片と表面パネルの上端との間の隙間に楔材を挿入しているので、表面パネル毎に隙間の寸法が異なる場合にも楔の挿入量を変えることにより調整できるから、表面パネルの寸法制度が要求されず、表面パネルの製造が容易にできる。
表面パネルはその下端をアングル材の水平片に載置し、アングル材が表面パネルの重量を受けた状態で仮固定の作業できるから、一人の作業者のみでパネル体の施工ができ、施行性に優れる。
【００１５】
請求項２に記載の発明によれば、アングル材を左右の竪取付材間に取り付けるパネル体において、請求項１に記載の発明と同様な効果を得ることができる。
【図面の簡単な説明】
【図１】図２に示す第１実施の形態にかかるパネル体の施工手順を示す図であり、（ａ）〜（ｃ）はそれぞれ縦断面図である。
【図２】図３に示すパネル体の横断面図である。
【図３】本発明の実施の形態にかかるパネル体を用いた門柱の正面図である。
【符号の説明】
Ａ、Ｂ、Ｃ    パネル体
１      竪取付材
３      表面パネル
５      アングル材
７      楔材
９      基板
１１    溝
１５    取付片
１７    水平片
１９    ネジ
２１    接着剤
【図１】
2004244929.tif 000003
【図２】
2004244929.tif 000004
【図３】
2004244929.tif 000005